(57)【要約】【課題】電線を通って積算電力量計の計器端子ブロックにまで雨水が到達しないようにして雨水の浸入による短絡事故を未然に防止するようにした絶縁カバーと該絶縁カバーを使った導電キャップの被着構造を提供する。【解決手段】電線２０の端末から露出させた導電部としての芯線２２を導電キャップ１０に挿入して固定すると共に該導電キャップ１０に絶縁カバー１を被着し、絶縁カバー１の胴部１ａに導電キャップ１０の外周面と対向位置して該導電キャップ１０の外径寸法より内径寸法の大きい大径胴部５を周設し、導電キャップ１０の外周面と大径胴部５の内周面との間に所定間隔の環状空間部６が形成されるようにした構成からなる。【選択図】図４
2010205480.tif 000002
【特許請求の範囲】
【請求項１】
一端に導電キャップを挿通する開口が開設され、胴部には前記導電キャップが挿通されたとき該導電キャップの外周面と対向位置して該導電キャップの外径寸法より内径寸法の大きい大径胴部を設け、前記導電キャップの外周面と前記大径胴部の内周面との間に所定間隔の環状空間部が形成されるようにしたことを特徴とする絶縁カバー。
【請求項２】
電線の端末に露出させた導電部としての芯線を導電キャップに挿入して固定すると共に該導電キャップに絶縁カバーを被着する絶縁カバーを使った導電キャップの被着構造であって、前記絶縁カバーの胴部に前記導電キャップの外周面と対向位置して該導電キャップの外径寸法より内径寸法の大きい大径胴部を設け、前記導電キャップの外周面と前記大径胴部の内周面との間に所定間隔の環状空間部が形成されるようにしたことを特徴とする絶縁カバーを使った導電キャップの被着構造。
【発明の詳細な説明】
【技術分野】
【０００１】
本発明は、積算電力量計等の計器において接続のため電源側・負荷側の電線に用いる導電キャップに被着される絶縁カバーと該絶縁カバーを使った導電キャップの被着構造に関するものである。
【背景技術】
【０００２】
従来、各家庭には計器としての積算電力量計を介して電線が引き込まれている。これを更に詳しく説明すると、積算電力量計に電源側（電柱側）と負荷側（家庭側）とに分けて電線の端末を接続する計器端子ブロックが設けられ、この計器端子ブロックには複数の端子接続口が有る。一方、電源側又は負荷側の電線の端末は、電線の被覆層を剥がして導電部としての芯線を露出し、該芯線を導電キャップに挿入すると共に圧迫して固定し、更に、該導電キャップには安全のため絶縁カバーが被着される。
【０００３】
導電キャップは、基端面が開口し、前記電線の導電部としての芯線が挿入される筒状の結線筒部と該結線筒部の先端から中心軸線に沿って突設され積算電力量計の計器端子ブロックに挿入する棒体部とからなる。該結線筒部は、その外径が電線の外径とほぼ同じになる。また、絶縁カバーは、円筒状に形成され、一端に導電キャップの棒体部を挿通する挿通孔が開設され、胴部の内径は導電キャップの結線筒部や電線の外径とほぼ同じに設定されている。そして、電線の端末に導電キャップを装着した状態で、該導電キャップに絶縁カバーを被着すると、絶縁カバーの内周面と導電キャップの結線筒部及び電線の外周面とがぴったりと合わさり、その間に大きな隙間はできないようになっている。また、絶縁カバーは電線の外周面にまで達しており、結線筒部は絶縁カバーにより完全に覆われる（例えば、特許文献１参照。）。
【０００４】
これに対し、例えば、電柱間に架設される電線から分岐され前記積算電力量計に接続される電源側の電線にあっては、ヒューズ電線にスリーブ接続によって引込線の一端が接続され、該引込線の他端にスリーブ接続によって引込口配線の一端が接続される。そして、引込口配線の他端に導電キャップが装着されて、積算電力量計の計器端子ブロックに接続されるようになっている。
【先行技術文献】
【特許文献】
【０００５】
【特許文献１】特開平５−１９８３２４号公報（第２頁、図２、図５）
【発明の概要】
【発明が解決しようとする課題】
【０００６】
しかしながら、前記特許文献１に係る絶縁カバーを使った導電キャップの被着構造では、次のような課題が有る。
すなわち、ヒューズ電線と引込線との接続部や引込線と引込口配線との接続部は露出しており、このため雨が降ると雨水が前記接続部から引込線や引込口配線の内部すなわち芯線に沿って侵入する。そして、最終的には引込口配線としての電線の先端から導電キャップの外周面と絶縁カバーの内周面との僅かな隙間を通って棒体部に進み、積算電力量計の計器端子ブロックに到達する。このように、雨水が計器端子ブロックまで達すると、その中で隣の端子に接触して短絡事故を発生させることになる。これは、雨水の通る道が狭いがために毛細管現象によって計器端子ブロックにまで雨水が達してしまうからである。特に、海岸線近くにある塩害地域にあっては、計器端子ブロックにおける導電キャップの棒体部が挿通される端子接続口の周囲に汚損物が堆積し、これが隣の端子接続口の周囲に堆積した汚損物にまで伸びて繋がり短絡事故が起きている。
【０００７】
そこで、本発明は上記課題を解決すべくなされたもので、電線を通って積算電力量計の計器端子ブロックにまで雨水が到達しないようにして雨水の浸入による短絡事故を未然に防止するようにした絶縁カバーと該絶縁カバーを使った導電キャップの被着構造を提供することを目的とするものである。
【課題を解決するための手段】
【０００８】
かかる目的を達成するため本発明に係る絶縁カバーは、一端に導電キャップを挿通する開口が開設され、胴部には前記導電キャップが挿通されたとき該導電キャップの外周面と対向位置して該導電キャップの外径寸法より内径寸法の大きい大径胴部を設け、前記導電キャップの外周面と前記大径胴部の内周面との間に所定間隔の環状空間部が形成されるようにしたことを特徴とする。
【０００９】
また、絶縁カバーを使った導電キャップの被着構造は、電線の端末に露出させた導電部としての芯線を導電キャップに挿入して固定すると共に該導電キャップに絶縁カバーを被着する絶縁カバーを使った導電キャップの被着構造であって、前記絶縁カバーの胴部に前記導電キャップの外周面と対向位置して該導電キャップの外径寸法より内径寸法の大きい大径胴部を設け、前記導電キャップの外周面と前記大径胴部の内周面との間に所定間隔の環状空間部が形成されるようにしたことを特徴とする。
【発明の効果】
【００１０】
本発明に係る絶縁カバーと該絶縁カバーを使った導電キャップの被着構造にあっては、絶縁カバーの胴部に導電キャップが挿通されたとき該導電キャップの外周面と対向位置して該導電キャップの外径寸法より内径寸法の大きい大径胴部を設けてなるので、該絶縁カバーを導電キャップに被着したとき、該導電キャップの外周面と大径胴部の内周面との間に所定間隔の環状空間部が形成される。このように、所定間隔の環状空間部を形成することにより、該導電キャップの外周面と大径胴部の内周面との間ではその間隔が広いため、毛細管現象が起き得ないことから、雨水の水路としては成り立たなくなる。よって、その部位で水路が絶たれ、雨水が積算電力量計の計器端子ブロックにまで到達しなくなり、該積算電力量計における短絡事故が未然に防止されるという効果を奏する。
【図面の簡単な説明】
【００１１】
【図１】電線を接続した導電キャップに絶縁カバーを被着した状態の斜視図。
【図２】同分解斜視図。
【図３】電力量計収納箱を分解して示す積算電力量計の斜視図。
【図４】電線を積算電力量計に接続した状態の要部を断面にして示す正面図。
【図５】（イ）は他の形態の絶縁カバーを被着した状態の正面半断面図、（ロ）は図５（イ）のＸ−Ｘ線断面図、（ハ）は他の形態の絶縁カバーを被着した状態の正面半断面図。
【図６】電線の途中に介在させた連結用の導電キャップに絶縁カバーを被着した状態の斜視図。
【図７】同分解斜視図。
【図８】同電線を積算電力量計に接続した状態の要部を断面にして示す正面図。
【発明を実施するための最良の形態】
【００１２】
以下、本発明に係る絶縁カバーと該絶縁カバーを使った導電キャップの被着構造の最良の実施の形態を図面に基づき詳しく説明する。図１は電線を接続した導電キャップに絶縁カバーを被着した状態の斜視図、図２は同分解斜視図である。まず、導電キャップ１０について説明する。該導電キャップ１０は、導電性を持たせるため例えば銅製により製作される。そして、その一側に後端面が開口１１すると共に前端面が前端壁１３により閉塞する結線筒部１２が設けられ、他側に該結線筒部１２の中心軸線に沿って前端壁１３の前面から外側へ突出する棒体部１４が設けられている。該棒体部１４の先端は、半球状に形成される。結線筒部１２には後記する電線２０端末の導電部としての芯線２２が挿入され、棒体部１４は後記する積算電力量計３０の計器端子ブロック３１に接続される。導電キャップ１０における結線筒部１２は、電線２０と同じ太さに設定されている。１６は導電キャップ１０の適宜位置に開設され結線筒部１２の内部と連通する水抜孔であり、結線筒部１２の内部に溜まる雨水を水抜孔１６から外側へ排出できるようになっている。
【００１３】
絶縁カバー１は、絶縁部材からなり前記導電キャップ１０に被着するもので、一端すなわち前端が開口４すると共に他端すなわち後端が開口３する略円筒状に形成される。胴部１ａの内径は、導電キャップ１０における結線筒部１２や電線２０の外径と同じに設定される。そして、胴部１ａの他端側すなわち後端側に、結線筒部１２や電線２０の外径寸法よりも大きい内径寸法を有する大径胴部５が形成されている。具体的には、例えば結線筒部１２の外周面と絶縁カバー１の大径胴部５の内周面との間に３〜５ｍｍの間隔を開けた環状空間部６が形成される。この寸法は、前記結線筒部１２の外周面と絶縁カバー１における大径胴部５の内周面との間を毛細管現象により雨水が浸入して絶縁カバー１の開口４へ向かって進まない範囲で設定されるものである。また、該大径胴部５の前端位置ｆは、導電キャップ１０における結線筒部１２後端の開口端面１５よりも棒体部１４側に寄っている必要がある。これにより、導電キャップ１０における結線筒部１２後端の開口端面１５と電線２０における絶縁被覆層２１の端末の端面２１ａとの間の周囲は環状空間部６により囲まれる。
【００１４】
本発明に係る絶縁カバー１は上記構成からなり、次にその使用方法を説明する。図３は電力量計収納箱を分解して示す積算電力量計の斜視図である。該積算電力量計３０は、電力量計本体３２の一側に電線２０の端末を挿入し接続する計器端子ブロック３１が設けられ、該計器端子ブロック３１には複数個の端子接続口３３が開設されている。また、３４は積算電力量計３０を収納する電力量計収納箱であって、積算電力量計３０を収納するため該収納箱本体３４ａの前側が開口すると共に該開口に該開口を開閉するカバー蓋３５が被着される。該カバー蓋３５には、上端縁の両側に収納箱本体３４ａの上端部に設けられた係合凸部３７，３７に係合する係合凹部３８，３８が設けられ、下端縁に収納箱本体３４ａに設けられた螺子孔３９に対向位置して螺子挿通孔４５が設けられる。そして、前記係合凸部３７，３７に係合凹部３８，３８を係合させると共に螺子挿通孔４５を介して螺子孔３９に螺子４６を螺締めすることによりカバー蓋３５が被着される。また、計器端子ブロック３１側の側壁に複数の電線２０を電源側と負荷側とに分けて引き入れるため一対の凹窪み部３６，３６が開設されている。そこで、例えば電源側にあっては、電線２０の端末部の絶縁被覆層２１を結線筒部１２の中心軸線方向の寸法より少し長め（２〜５ｍｍ）に剥離して導電部である芯線２２を露出させる。
【００１５】
次に、該導電部である芯線２２を導電キャップ１０の結線筒部１２にその後端の開口１１から挿入する。そして、挿入した状態で、結線筒部１２の外周面を絞り込むように圧迫する。このように圧迫することで、結線筒部１２はその外形が中心軸線方向に沿って波形状に変形し、その外形の変形に追随して結線筒部１２の内形もまた中心軸線方向に沿って波形状に変形して芯線２２を変形させる。これにより、芯線２２に導電キャップ１０がしっかりと咬合し被着される。このとき、導電キャップ１０後端の開口端面１５と電線２０における絶縁被覆層２１端末の端面２１ａとの間には少しの隙間（２〜５ｍｍ）が形成される。
【００１６】
更に、導電キャップ１０にその棒体部１４側から絶縁カバー１を被着する。棒体部１４は、前端の開口４から外側へ突出する。これにより、図４に示すように導電キャップ１０に絶縁カバー１が被着される。このとき、大径胴部５の前端位置ｆは、導電キャップ１０における結線筒部１２後端の開口端面１５よりも棒体部１４側に寄っている。これにより、導電キャップ１０における結線筒部１２後端の開口端面１５と電線２０における絶縁被覆層２１端末の端面２１ａとの間の周囲は環状空間部６により囲まれる。このようにして絶縁カバー１が被着された電線２０の端末を図４に示すように積算電力量計３０の計器端子ブロック３１の端子接続口３３に挿入し、図示しないネジ締めにより固定する。他の電線２０の端末部についても、同様な手順で端子接続口３３に挿入して固定する。
【００１７】
前記電線２０にあっては、雨水が引込線や引込口配線としての電線２０の内部すなわち芯線２２に沿って侵入し、しかも、引込口配線としての電線２０における絶縁被覆層２１端末の端面２１ａと導電キャップ１０の開口端面１５との間に達しても、その間の外周は絶縁カバー１の大径胴部５が対応位置し環状空間部６により囲われているので、その部位では毛細管現象が起きない。よって、雨水がそれ以上導電キャップ１０の棒体部１４側へ進んで計器端子ブロック３１に達することはない。これにより、積算電力量計３０の短絡事故が未然に防止される。導電キャップ１０の開口端面１５と電線２０における絶縁被覆層２１端末の端面２１ａとの間から染み出た雨水は、絶縁被覆層２１の外表面に沿って下方へ排出される。
【００１８】
図５（イ）（ロ）（ハ）は、他の形態の絶縁カバーを被着した状態を示すものである。図５（イ）は他の形態の絶縁カバーを被着した状態の正面半断面図、図５（ロ）は図５（イ）のＸ−Ｘ線断面図である。なお、この形態は本発明と同じ構成を有するので、同一部位は同一番号を附すことにより詳しい説明は省略する。すなわち、電線２０の端末の導電部である芯線２２を挿入して固定した導電キャップ１０に絶縁カバー１−１が被着される。
【００１９】
他の形態の絶縁カバー１−１も絶縁部材からなり、一端すなわち前端が開口４すると共に他端すなわち後端が開口３する略円筒状に形成される。胴部１ａの内径は、導電キャップ１０における結線筒部１２や電線２０の外径と同じに設定される。そして、胴部１ａの他端側すなわち後端側に、結線筒部１２や電線２０の外径寸法よりも大きい内径寸法を有する大径胴部５が形成されている。この場合も、例えば、結線筒部１２の外周面と絶縁カバー１における大径胴部５の内周面との間に、３〜５ｍｍの間隔を開けた環状空間部６が形成される。この寸法は、前記結線筒部１２の外周面と絶縁カバー１の大径胴部５の内周面との間を毛細管現象により雨水が浸入して絶縁カバー１−１の開口４へ進まない範囲で設定されるものである。また、該大径胴部５の前端位置ｆは、導電キャップ１０における結線筒部１２後端の開口端面１５よりも棒体部１４側に寄っている。これにより、導電キャップ１０における結線筒部１２後端の開口端面１５と電線２０における絶縁被覆層２１端末における端面２１ａとの間の周囲は、環状空間部６により囲まれる。
【００２０】
また、大径胴部５後端の開口３の内周面に、先端がそれぞれ電線２０における絶縁被覆層２１の外周面に当接するスペーサ７がその周方向に沿って等間隔位置に４個突設される。これにより、各スペーサ７，７間に雨水を排出するための排出口８が開設される。前記各スペーサ７は、導電キャップ１０に対して絶縁カバー１−１をぐらつかせずにしっかりと被着する機能と、環状空間部６をその一部でも潰れることなく保持する機能を兼ね備えている。さらに、電線２０における絶縁被覆層２１端末の端面２１ａと導電キャップ１０の開口端面１５との間から滲み出る雨水は、各排出口８から外部へ排出されることになる。前記スペーサ７は絶縁カバー１−１に一体に設けたが、絶縁カバー１−１とは別体に設けるようにしても良い。この場合は、各スペーサ７を連結環に一体に設けるようにする。また、図示は省略するが、逆に導電キャップ１０の後端部外周面に先端が絶縁カバー１−１の後端部の内周面に当接するスペーサを設けるようにしても良い。
【００２１】
図５（ハ）に係る他の絶縁カバー１−２も絶縁部材からなる。該絶縁カバー１−２は、一端すなわち前端が開口４すると共に他端側がその後端に進むに従い漸次窄まる漏斗状に形成され、また、その後端に開口３が形成され、全体に略円筒状に形成される。絶縁カバー１−２の胴部１ａの内径は、導電キャップ１０における結線筒部１２や電線２０の外径と同じに設定される。そして、胴部１ａの他端側すなわち後端側に、結線筒部１２や電線２０の外径寸法よりも大きい内径寸法を有する大径胴部５が形成されている。具体的には、例えば、結線筒部１２の外周面と絶縁カバー１の大径胴部５の内周面との間に３〜５ｍｍの間隔を開けた環状空間部６が形成される。この寸法は、前記結線筒部１２の外周面と絶縁カバー１−２の大径胴部５の内周面との間を毛細管現象により雨水が浸入して絶縁カバー１−２の開口４へ進まない範囲で設定される。また、該大径胴部５の前端位置ｆは、導電キャップ１０における結線筒部１２後端の開口端面１５よりも棒体部１４側に寄っている。これにより、導電キャップ１０における結線筒部１２後端の開口端面１５と電線２０における絶縁被覆層２１端末の端面２１ａとの間の周囲は、環状空間部６により囲まれる。
【００２２】
前記大径胴部５の他端側である後端側には、その漏斗状部の周面に中心軸線方向に沿って開口３と連通する複数のスリット９が設けられている。このように、絶縁カバー１−２の他端側を開口３に向けて窄まる漏斗状に形成することにより、導電部である芯線２２や導電キャップ１０がしっかりと保護される。また、電線２０における絶縁被覆層２１端末の端面２１ａと導電キャップ１０の開口端面１５との間から滲み出る雨水は、各スリット９から外部へ排出されることになる。
【００２３】
図６乃至図８は、電線２０の途中に設けた連結用の導電キャップに被着された絶縁カバーに本発明が適用される場合を示す。通常、芯線２２の外径が所定寸法以下であると、電線２０端末部の絶縁被覆層２１を剥がして露出させた芯線２２を積算電力量計３０における計器端子ブロック３１の端子接続口３３に直接に接続するようにしている。ところが、この状態のままであると、雨水が電線２０の芯線２２に伝ってその端末すなわち計器端子ブロック３１まで簡単に到達してしまう。そこで、電線２０の途中を切断すると共に該切断部位を連結用の導電キャップ４０により接続し、該導電キャップ４０に絶縁カバー５０を被着する。この場合は、電線２０の端末側を例えば１０〜１５ｃｍといった寸法で切断し、短く切断した後記する短電線２３における前端部の絶縁被覆層２１を剥がして露出させた芯線２２を、積算電力量計３０における計器端子ブロック３１の端子接続口３３に直接に挿入するようにしており、必ずしもその短電線２３の前端に導電キャップ１０及び絶縁カバー１を被着する必要はない。
【００２４】
図６は電線の途中に介在させた連結用の導電キャップに絶縁カバーを被着した状態の斜視図、図７は同分解斜視図である。連結用の導電キャップ４０は両端が開口４１，４１する円筒状に形成され、その内部の中心軸線方向に沿った中間位置に仕切壁４２が設けられている。また、該導電キャップ４０の外径は、電線２０の外径とほぼ同じである。４４は導電キャップ４０の仕切壁４２を挟んで両側に位置し、導電キャップ４０内部と連通する水抜孔であり、導電キャップ４０の内部に溜まる雨水を水抜孔４４，４４から外側へ排出できるようになっている。絶縁カバー５０は、一端側すなわち前端側の小径胴部５１と他端側すなわち後端側の大径胴部５２とからなり、両端が開口５３，５４する筒状に形成される。小径胴部５１の内径は導電キャップ４０や短電線２３の外径と同じ寸法を有し、大径胴部５２の内径は導電キャップ４０や電線２０の外径よりも大きい。すなわち、導電キャップ４０に絶縁カバー５０を被着したとき、該導電キャップ４０の外周面と絶縁カバー５０における大径胴部５２の内周面との間に、３〜５ｍｍの間隔を開けた環状空間部５５が形成される。この寸法は、前記導電キャップ４０の外周面と絶縁カバー５０における大径胴部５２の内周面との間を毛細管現象により雨水が浸入して短電線２３側へ進まない範囲で設定されるものである。
【００２５】
次に、前記連結用の導電キャップ４０及び絶縁カバー５０の使用方法を説明する。前記短電線２３の前端部と後端部とは、共に絶縁被覆層２１を剥がして導電部としての芯線２２，２２を露出しておく。この場合、露出する前記電線２０の芯線２２の長さは、導電キャップ４０内部の開口４１から仕切壁４２までの寸法より少し長め（２〜５ｍｍ）に設定される。
【００２６】
そして、引込口配線としての電線２０端末の芯線２２を連結用の導電キャップ４０内に後端の開口４１から挿入し、また、短電線２３の他端である後端の芯線２２を連結用の導電キャップ４０内に同じく前端の開口４１から挿入する。挿入した状態で、前記のように導電キャップ４０の外周面を絞り込むように圧迫する。このように圧迫することで、連結用の導電キャップ４０はその外形が中心軸線方向に沿って波形状に変形し、その外形の変形に追随して該導電キャップ４０の内形もまた中心軸線方向に沿って波形状に変形して各芯線２２を変形させる。これにより、各芯線２２に連結用の導電キャップ４０がしっかりと咬合し被着される。このとき、連結用の導電キャップ４０における一方の開口端面４３と電線２０における絶縁被覆層２１端末の端面２１ａとの間には少しの隙間（２〜５ｍｍ）が形成される。
【００２７】
次に、大径胴部５２後端の開口５３側から短電線２３を介して絶縁カバー５０を連結用の導電キャップ４０に被せて被着する。このとき、大径胴部５２の前端位置ｆは、導電キャップ４０における後端の開口端面４３よりも前側すなわち短電線２３側に寄っている。これにより、導電キャップ４０後端の開口端面４３と電線２０における絶縁被覆層２１端末の端面２１ａとの間の周囲は、環状空間部６により囲まれる。このようにして短電線２３の前端の芯線２２を図８に示すように積算電力量計３０における計器端子ブロック３１の端子接続口３３に挿入し、図示しないネジ締めにより固定する。他の電源側と負荷側の電線２０についても、同様な手順で端子接続口３３に挿入して固定する。
【００２８】
このように、途中で分割かつ連結された電線２０にあっては、雨水が引込線や引込口配線の内部すなわち芯線２２に沿って侵入し、しかも、引込口配線としての電線２０であって連結用の導電キャップ４０の開口端面４３と導電キャップ４０の後端の開口端面４３との間に達しても、その間の外周は絶縁カバー５０の大径胴部５２が対応位置し環状空間部５５により囲われているので、その部位では毛細管現象が起きない。よって、雨水がそれ以上短電線２３側へ進んでその前端の芯線２２を介して計器端子ブロック３１に達することはない。これにより、積算電力量計３０の短絡事故が未然に防止される。連結用の導電キャップ４０後端の開口端面４３と電線２０における絶縁被覆層２１端末の端面２１ａとの間から染み出た雨水は、該絶縁被覆層２１の外周面に沿って下方へ排出される。
【００２９】
前記短電線２３の長さは、１０〜１５ｃｍと説明したが、これは該短電線２３が積算電力量計３０と共に電力量計収納箱３４内に収納できれて都合が良いからであり、許される範囲であれば、短電線２３に長さを１ｍ、２ｍまたはそれ以上長くしても構わない。また、この連結用の導電キャップ４０に被着される絶縁カバー５０についても、前記他の形態の絶縁カバー１−１，１−２に示したスペーサ７やスリット９といった形状が同様にして適用できることは勿論である。
【符号の説明】
【００３０】
１              絶縁カバー
１ａ            胴部
４              開口
５              大径胴部
６              環状空間部
１０            導電キャップ
２０            電線
２２            芯線
４０            導電キャップ
５０            絶縁カバー
５２            大径胴部
５５            環状空間部
【図１】
2010205480.tif 000003
【図２】
2010205480.tif 000004
【図３】
2010205480.tif 000005
【図４】
2010205480.tif 000006
【図５】
2010205480.tif 000007
【図６】
2010205480.tif 000008
【図７】
2010205480.tif 000009
【図８】
2010205480.tif 000010